(57)【要約】【課題】  コンクリート廃材を大型のまま処理作業や選別作業などをせず簡便、効率的に処理、利用し、海域に容易に人工島（人工土地）を造成する方法を提供する。【解決手段】  サンゴ礁の一部に水路を構築し、該水路と連通する港湾的作業基地を造成し、環状の堤防を造成し、堤防の表面から堤防内にセメントスラリーを流し込み堤防全体を固定化し、該堤防の内側を埋め立てることによって人工土地を造成する．【選択図】    図１
2006257852.tif 000002
【特許請求の範囲】
【請求項１】
外海と礁湖の間のサンゴ礁の一部に少なくとも中型工作船が航行可能な水路を形成し、
上記の水路形成後あるいは形成工程と一部平行して礁湖のサンゴ礁近くの区域あるいはサンゴ礁上に該水路と連通する港湾的作業基地を造成し、
上記水路及び港湾的作業基地を利用して水路あるいは港湾的作業基地に隣接するサンゴ礁の区域あるいは礁湖区域から順次遠ざかる区域に向かってサンゴ礁上あるいは礁湖中に大形コンクリート廃材を少なくとも海面上数メートルの高さ、幅数メートル以上に堆積させ、環状の堤防を構築し、
コンクリート廃材の堆積が完了した堤防の表面から堤防内にセメントスラリーを流し込みコンクリート廃材同志を繋ぎとめ且つ堤防全体を固定化し、
上記環状の堤防の完成後あるいは該堤防の造成と平行して、該堤防の内側を埋め立てることによって人工土地を造成すること、
よりなるサンゴ礁の浅い海域に人工島（人工土地）を造成する方法。
【請求項２】
サンゴ礁が環礁であり、堤防がそれ自体で閉じた環状である請求項１のサンゴ礁の浅い海域に人工島（人工土地）を造成する方法。
【請求項３】
サンゴ礁が堡礁であり、堤防が陸地との間に形成された円弧状の堤防であり、人工島（人工土地）が該堤防と陸地との間に造成される請求項１のサンゴ礁の浅い海域に人工島（人工土地）を造成する方法。
【発明の詳細な説明】
【技術分野】
【０００１】  本発明は、人工島（人工土地）の造成方法に関し、より詳しくはサンゴ礁の浅い海域に主としてコンクリート廃材を用いて人工島（人工土地）を造成する方法に関する。
【技術背景】
【０００２】  海域での人工島（人工土地）の造成は、海岸域あるいは湾内、入江などに埋め立てによっていわゆる埋立地を造成することが行なわれて来ているが、陸地を離れた海中に人工的に新しく土地を造成することは極めて特殊で小規模なものを除いて先例は無い。
【０００３】  他方、産業廃棄物は年々増加しつづけ、その産業廃棄物の中でもコンクリート建造物の解体によって生じるコンクリートの瓦礫、いわゆるコンクリート廃材が大きな割合を占めている。
【０００４】  このコンクリート廃材の処理については種々の取り組みが行われてきており、コンクリート骨材としてリサイクル利用するなどが行なわれているが、必ずしも充分な有効利用が達成されていないのが現状である。
【０００５】  有効利用が充分達成されないということは、大量のコンクリート廃材は単に廃棄せざるを得ず、重要な社会問題として早期の解決が待望されているところである。
【０００６】  本発明は、このようなコンクリート廃材の有効利用の一翼を担う役割を果たすことが可能な方法を提供する。
【発明の開示】
【発明が解決しようとする課題】
【０００７】  本発明は、コンクリート廃材を運搬すること以外、破砕するなどの処理作業や利用の適不適などの選別作業を殆ど必要とせず簡便、効率的に処理、利用でき、また必要な海域に容易に人工島（人工土地）を造成できる方法を提供する。
【課題を解決するための手段】
【０００８】  上記の課題を解決するために本発明が講じた手段は請求項１のとおり、外海と礁湖の間のサンゴ礁の一部に少なくとも中型工作船が航行可能な水路を構築し、上記の水路構築後あるいは構築工程と一部平行して礁湖のサンゴ礁近くの区域あるいはサンゴ礁上に該水路と連通する港湾的作業基地を造成し、上記水路及び港湾的作業基地を利用して水路あるいは港湾的作業基地に隣接するサンゴ礁の区域あるいは礁湖区域から順次遠ざかる区域に向かってサンゴ礁上あるいは礁湖中に大形コンクリート廃材を少なくとも海面上数メートルの高さ、幅数メートル以上に堆積させ、環状の堤防を構築し、コンクリート廃材の堆積が完了した堤防の表面から堤防内にセメントスラリーを流し込みコンクリート廃材同志を繋ぎとめ且つ堤防全体を固定化し、上記環状の堤防の完成後あるいは該堤防の造成と平行して該堤防の内側を埋め立てることによって人工土地を造成することよりなるサンゴ礁の浅い海域に人工島（人工土地）を造成する方法をとったものである。【０００９】  サンゴ礁が環礁である場合には、環礁を利用して堤防をそれ自体で閉じた環状に構築し、その内部に人工島（人工土地）を造成することが本発明の最大の目的である。
サンゴ礁が堡礁である場合には、堤防は陸地との間に円弧状に構築し、該堤防と陸地に囲まれた浅い海域に域に人工土地を造成することも勿論可能であり、本発明のコンセプトに属するものである。【００１０】  本発明において用いるコンクリート廃材は、コンクリート建造物を解体するときに出る瓦礫、いわゆるコンクリート廃材そのものであり、しかもコンクリート廃材は細かく破砕することなく出来るだけ大きな塊のままの方が好ましい。従って、コンクリート廃材にはコンクリート以外の鉄筋やその他の混入物も含まれることになるが、全く問題は無い。【００１１】  水路の造成は、発破工法や掘削工法を組合わせて用いるなど、常套の工法を利用すればよく、特に制限されることはない。
堤防構築のために堆積させた大型のコンクリート廃材はそのままではある程度落ち着きが悪いが、新しい堤防は堆積が終わった堤防を利用して順次延ばしていくので、当然滞積の終わった堤防の上をホイールローター、フローラキャリア、ブルドーザショベルカーなどの建設機械・車輌等が走行するのでそれらの建設機械の走行によってコンクリート廃材による堤防は充分に踏み固められて落ち着くので特に落ち着かせる作業を行なう必要はない。【００１２】  サンゴ礁の主成分は炭酸カルシウムであり、近時のコンクリートは通常石灰石を焼成して作られるポルトランドセメントを主成分とするので、成分的な相性がよく、サンゴ礁とコンクリート廃材の組合わせは最適であるということが出来る。
【発明の効果】
【００１３】  本発明によれば、コンクリート建造物の解体によって生じるコンクリート廃材を殆ど破砕処理などすることなく、解体時のまま出来るだけ大型のままで大量に使用することになるのでコンクリート廃材の処理として有効であるばかりでなく、サンゴ礁との好適な相性によって、コンクリート廃材による環境に悪影響を及ぼすことも少ない。
【発明を実施するための最良の形態】
【００１４】  図１は本発明により造成される人工島（人工土地）の概念図であり、サンゴ環礁に沿って堤防を構築しその内側を埋め立てて人工島（人工土地）としたものである。
図中１は外海洋、２は礁湖、３はサンゴ礁、４は堤防、５は水路、６は港湾的作業基地であり、堤防に囲まれた斜線の区域Ａが人工島（人工土地）である。【００１５】  図における人工島（人工土地）において、堤防４の幅は約２０−２５ｍである。堤防の高さは満ち潮時の海面から１０ｍ程度高いことが津波や高潮対策として好ましい。
堤防内の埋立地の高さは勿論堤防より低くてよい。埋立地の標高、堤防との高さの差をどのくらいにするかは、人工島（人工土地）に関わる状況に応じて適宜決定することが出来る。【００１６】  また、水路５は幅約５０ｍ、深さ約２０ｍであり、港湾６は約２５０ｍ×約１２０ｍであるが、それらの規模は特に特定されるものではなく、造成する人工島（人工土地）の規模、地域的状況、使用する運搬船、作業船などにより適宜決めればよい。
人工島（人工土地）完成後には水路及び港湾的作業基地の港湾部分は人工島（人工土地）への浅薄のために整備して引き続き使用する。【００１７】  サンゴ礁域は水深が浅いため作業船、運搬船などはサンゴ礁域に入ることが出来ないので、最初にサンゴ礁の適当な箇所に外海１側から礁湖２に向けてサンゴ礁を掘削して作業船、運搬船などの航行可能な深さと幅の水路５を作る。【００１８】  水路５の礁湖２に入った適当な箇所に港湾様の作業基地６を作る。この港湾的作業基地６は中央に港湾水域と周辺部に埠頭を作り、埠頭の外側には、運搬されてきたコンクリート廃材などの集積場所、工作機械などの置き場、その他作業に必要な用地よりなる。【００１９】  この作業用地は工事の進展と必要に応じて順次拡げていくことが出来る。
のものでよい。【００２０】  基本的には堤防は水路５に隣接する区域から作っていくことになるので、水路のサンゴ礁側を埠頭として水路の外側にある程度の作業基地を作ってもよいが、港湾的作業基地の作業用地を堤防の建設予定地域まで作り、そこを利用して堤防を作り始め、続いてその作業地と完成した堤防を使って堤防を順次延ばしていく。【００２１】  堤防を順次延長して構築していくときには、完成した堤防（の上面）を道路として使用する。そのため完成した堤防は作業機械車輌などによって踏み固められるので、特に踏み固めの作業を行う必要はない。
完成した堤防は、表面からセメントスラリーを打ち込んで固めていく。セメントスラリーは常套のものでよい。【００２２】  セメントスラリーの打ち込みは堤防全体が完成してからでもよいが必ずしも完成を待つ必要はなく、完成した箇所から順次行なってよい。
造成する人工島（人工土地）は通常の陸地からは離れた場所であることが殆どであるので、堤防構築に使用する大型のコンクリート廃材や堤防に囲まれた礁湖の埋め立てに用いるコンクリート廃材その他のがれき類などは船舶で現場まで運搬する。【００２３】  人工島（人工土地）の工事現場においてはベルトコンベアなどを使用することが出来るが、当然のことであるがそれらの建設・工作機械などは適したものを自由に選択して使用すればよく制限されることは無い。
堤防の内側の礁湖はコンクリート廃材及び建設残土を用いて埋め立てて人工島（人工土地）を造成する。【００２４】  埋め立てをどのように行なうかについては、人工島（人工土地）をどのように使用するかに応じて適宜もっとも好ましい埋め立てを行う。それらの手段、埋立て材は堤防構築に使用する大型のコンクリート廃材を用いる場合があることを除けばこれまでに行われきた埋立てと基本的には同じであり変わるところはない。【００２５】  図２は堤防の全部をサンゴ礁に沿って構築するのではなく、一部分は礁湖中にも構築する点で図１における人工島（人工土地）と異なるが、基本的には図１の人工島（人工土地）と同じである。また図中の符号は図１と同じものを示す。この場合は礁湖部分の堤防はサンゴ礁の箇所よりも深いところに構築することになるが、礁湖自体底が浅いので本質的な特別な問題は無い。
【図面の簡単な説明】
【００２６】
【図１】  本発明により造成される人工島（人工土地）の概念図である。
【図２】  図１のものとは別の、本発明による人工島（人工土地）の概念図である。
【符号の説明】
【００２７】  １  外海洋
２  礁湖
３  サンゴ礁
４  堤防
５  水路
６  港湾的作業基地
Ａ  人工島（人工土地）
【図１】
2006257852.tif 000003
【図２】
2006257852.tif 000004